【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
複数種類のデータフィールドからなるレコードから、選択されたデータフィールドのデータを差し込むためのフィールド領域を、テンプレートに基づいてページ内にレイアウトする情報処理装置であって、
前記テンプレートに基づいて、予め決められたレコードのデータが差し込まれた前記フィールド領域がレイアウトされたページを表示する表示手段と、
前記ページ中のフィールド領域から、調整対象のフィールド領域を選択する選択手段と、
前記選択手段で選択したフィールド領域の調整操作に基づいて、前記フィールド領域を調整する調整手段と、
前記調整手段によってフィールド領域が調整された前記レコードに関する調整レコード情報を、前記テンプレートに関するテンプレート情報とは別に記憶する記憶手段と
を備えることを特徴とする情報処理装置。
【請求項２】
前記記憶手段に記憶された前記調整レコード情報を用いて、前記ページ内にレイアウトされた前記フィールド領域を調整して更新する更新手段を更に備える
ことを特徴とする請求項１に記載の情報処理装置。
【請求項３】
前記調整手段は、前記フィールド領域を調整する調整種別として、位置／サイズ、文字属性、線属性、面属性、該フィールド領域に差し込まれるデータを少なくとも含み、
前記記憶手段は、レコード単位で、かつ前記調整種別毎に、前記フィールド領域に関する調整情報を記憶する
ことを特徴とする請求項１または２に記載の情報処理装置。
【請求項４】
前記調整手段による調整が、前記フィールド領域に差し込まれるデータである場合、前記記憶手段は、そのデータに関する第１調整情報を記憶するとともに、該フィールド領域の位置・サイズに関する調整情報が存在しない場合には、該フィールド領域の現在の位置・サイズを維持するための第２調整情報を生成して記憶する
ことを特徴とする請求項１乃至３のいずれか１項に記載の情報処理装置。
【請求項５】
前記記憶手段は、前記調整レコード情報として、前記調整手段で調整されたフィールド領域に関する調整情報、前記テンプレート情報及び該フィールド領域に差し込むデータに関するデータ情報を１ファイルとして記憶する
ことを特徴とする請求項１乃至４のいずれか１項に記載の情報処理装置。
【請求項６】
前記記憶手段に記憶された１ファイルを読み込む読込手段を更に備え、
前記表示手段は、前記読込手段で読み込んだファイル中の調整情報に基づいて、前記ページ内のフィールド領域を調整した調整済ページで、現在表示しているページの表示を更新する
ことを特徴とする請求項５に記載の情報処理装置。
【請求項７】
前記表示手段は、前記記憶手段から、処理対象のページ内の前記フィールド領域に対応する調整情報を検索する検索手段と、
前記検索手段で検索された調整情報に基づいて、前記ページ内の前記フィールド領域のレイアウトを計算する計算手段とを備え、
前記計算手段で計算されたレイアウト結果を、前記ページ内の前記フィールド領域を調整した調整済ページとして表示する
ことを特徴とする請求項５に記載の情報処理装置。
【請求項８】
複数種類のデータフィールドからなるレコードから、選択されたデータフィールドのデータを差し込むためのフィールド領域を、テンプレートに基づいてページ内にレイアウトする情報処理装置であって、
前記フィールド領域がレイアウトされたページを表示するページ表示領域と、前記ページ内の各フィールド領域に対応して、各フィールド領域に差し込むデータの差替の可否を示す矩形領域からなるコントロール領域とを有する操作画面を生成する操作画面生成手段と、
前記操作画面上のコントロール領域内の矩形領域に対する操作に基づいて、前記ページ表示領域で表示する前記ページ内の前記フィールド領域に差し込まれているデータを、差替対象のデータに差し替える差替手段と、
前記ページ表示領域で表示する前記ページを、前記差替手段による差替後のページに更新して表示するためのページ情報を生成するページ情報生成手段と
を備えることを特徴とする情報処理装置。
【請求項９】
前記差替手段による差替前の前記ページ表示領域で表示する前記ページに関するページ情報を記憶するとともに、前記差替手段による差替後の前記ページ表示領域で表示する前記ページに関するページ情報を一時的に記憶する記憶手段を更に備える
ことを特徴とする請求項８に記載の情報処理装置。
【請求項１０】
前記差替手段によるデータの差替をキャンセルするキャンセル手段を更に備える
ことを特徴とする請求項８に記載の情報処理装置。
【請求項１１】
前記差替手段による差替前の前記ページ表示領域で表示する前記ページに関するページ情報を記憶するとともに、前記差替手段による差替後の前記ページ表示領域で表示する前記ページに関するページ情報を一時的に記憶する記憶手段を更に備え
前記キャンセル手段によるキャンセルが実行された場合、前記ページ情報生成手段は、前記差替手段による差替前のページに関するページ情報を前記記憶手段から取得する
ことを特徴とする請求項１０に記載の情報処理装置。
【請求項１２】
当該情報処理装置は、ネットワークに接続されたサーバ装置である
ことを特徴とする請求項８に記載の情報処理装置。
【請求項１３】
前記ネットワークに接続されたクライアント装置へ、前記操作画面を送信する操作画面送信手段と、
前記クライアント装置から前記差替操作を指示する指示情報を受信する受信手段と、
前記受信手段で受信した指示情報に基づいて、前記差替手段及び前記ページ情報生成手段を実行する実行手段と、
前記実行手段による実行後、前記ページ情報生成手段で生成したページ情報を、前記クライアント装置へ送信するページ情報送信手段と
を更に備えることを特徴とする請求項１２に記載の情報処理装置。
【請求項１４】
複数種類のデータフィールドからなるレコードから、選択されたデータフィールドのデータを差し込むためのフィールド領域を、テンプレートに基づいてページ内にレイアウトする情報処理装置の制御方法であって、
前記テンプレートに基づいて、予め決められたレコードのデータが差し込まれた前記フィールド領域がレイアウトされたページを表示する表示工程と、
前記ページ中のフィールド領域から、調整対象のフィールド領域を選択する選択工程と、
前記選択工程で選択したフィールド領域の調整操作に基づいて、前記フィールド領域を調整する調整工程と、
前記調整工程によってフィールド領域が調整された前記レコードに関する調整レコード情報を、前記テンプレートに関するテンプレート情報とは別に記憶媒体に記憶する記憶工程と
を備えることを特徴とする情報処理装置の制御方法。
【請求項１５】
複数種類のデータフィールドからなるレコードから、選択されたデータフィールドのデータを差し込むためのフィールド領域を、テンプレートに基づいてページ内にレイアウトする情報処理装置の制御方法であって、
前記フィールド領域がレイアウトされたページを表示するページ表示領域と、前記ページ内の各フィールド領域に対応して、各フィールド領域に差し込むデータの差替の可否を示す矩形領域からなるコントロール領域とを有する操作画面を生成する操作画面生成工程と、
前記操作画面上のコントロール領域内の矩形領域に対する操作に基づいて、前記ページ表示領域で表示する前記ページ内の前記フィールド領域に差し込まれているデータを、差替対象のデータに差し替える差替工程と、
前記ページ表示領域で表示する前記ページを、前記差替工程による差替後のページに更新して表示するためのページ情報を生成するページ情報生成工程と
を備えることを特徴とする情報処理装置の制御方法。
【請求項１６】
複数種類のデータフィールドからなるレコードから、選択されたデータフィールドのデータを差し込むためのフィールド領域を、テンプレートに基づいてページ内にレイアウトする情報処理装置の制御を実現するプログラムであって、
前記テンプレートに基づいて、予め決められたレコードのデータが差し込まれた前記フィールド領域がレイアウトされたページを表示する表示工程のプログラムコードと、
前記ページ中のフィールド領域から、調整対象のフィールド領域を選択する選択工程のプログラムコードと、
前記選択工程で選択したフィールド領域の調整操作に基づいて、前記フィールド領域を調整する調整工程のプログラムコードと、
前記調整工程によってフィールド領域が調整された前記レコードに関する調整レコード情報を、前記テンプレートに関するテンプレート情報とは別に記憶媒体に記憶する記憶工程のプログラムコードと
を備えることを特徴とするプログラム。
【請求項１７】
複数種類のデータフィールドからなるレコードから、選択されたデータフィールドのデータを差し込むためのフィールド領域を、テンプレートに基づいてページ内にレイアウトする情報処理装置の制御を実現するプログラムであって、
前記フィールド領域がレイアウトされたページを表示するページ表示領域と、前記ページ内の各フィールド領域に対応して、各フィールド領域に差し込むデータの差替の可否を示す矩形領域からなるコントロール領域とを有する操作画面を生成する操作画面生成工程のプログラムコードと、
前記操作画面上のコントロール領域内の矩形領域に対する操作に基づいて、前記ページ表示領域で表示する前記ページ内の前記フィールド領域に差し込まれているデータを、差替対象のデータに差し替える差替工程のプログラムコードと、
前記ページ表示領域で表示する前記ページを、前記差替工程による差替後のページに更新して表示するためのページ情報を生成するページ情報生成工程のプログラムコードと
を備えることを特徴とするプログラム。